(57)【要約】【課題】制御を簡素化する。【解決手段】本発明に係る空気調和システム１００は、第１空気調和機３と、第２空気調和機５とを備える。第１空気調和機３は、第２空気調和機５と通信可能に接続される。第１空気調和機３は、取得部３６１と、動作制御部３６２とを備える。取得部３６１は、第１情報ＩＦ１、及び第２情報ＩＦ２の少なくとも一方を取得する。動作制御部３６２は、取得部３６１の取得結果に基づいて、温度調整機能、湿度調整機能、及び送風機能のうちの少なくとも１つの機能の動作を制御する。第２空気調和機５は、第２温度センサ５４及び第２湿度センサ５５の少なくとも一方を有する。第１情報ＩＦ１は、第２空気調和機５の運転状態を示す。第２情報ＩＦ２は、第２温度センサ５４及び第２湿度センサ５５の少なくとも一方の検出結果を示す。第１空気調和機３と第２空気調和機５とは、１つの部屋ＲＭに配置される。【選択図】図４
2019190739.tif 000002
【特許請求の範囲】
【請求項１】
他の空気調和機と通信可能に接続された空気調和機であって、
前記空気調和機は、
第１情報、及び第２情報の少なくとも一方を取得する取得部と、
前記取得部の取得結果に基づいて、温度調整機能、湿度調整機能、及び送風機能のうちの少なくとも１つの機能の動作を制御する動作制御部と
を備え、
前記他の空気調和機は、第２温度センサ及び第２湿度センサの少なくとも一方を有し、
前記第１情報は、前記他の空気調和機の運転状態を示し、
前記第２情報は、前記第２温度センサ及び前記第２湿度センサの少なくとも一方の検出結果を示し、
前記他の空気調和機と前記空気調和機とは、１つの部屋に配置される、空気調和機。
【請求項２】
前記他の空気調和機は、湿度調整機能を備え、
前記取得部は、前記第１情報を取得し、
前記第１情報が、除湿機能の動作を前記他の空気調和機が開始した旨を示す場合に、前記動作制御部は、加湿機能の動作を規制する、請求項１に記載の空気調和機。
【請求項３】
前記他の空気調和機は、湿度調整機能を備え、
前記取得部は、前記第１情報を取得し、
前記第１情報が、加湿機能の動作を前記他の空気調和機が開始した旨を示す場合に、前記動作制御部は、除湿機能の動作を規制する、請求項１又は請求項２に記載の空気調和機。
【請求項４】
前記取得部は、前記第２温度センサの検出結果を示す前記第２情報を取得し、
前記動作制御部は、前記第２情報に基づいて、前記温度調整機能の動作を制御する、請求項１から請求項３のいずれか１項に記載の空気調和機。
【請求項５】
前記他の空気調和機は、複数の空気調和機を備え、
前記複数の空気調和機は、前記複数の空気調和機のうちの１つの空気調和機を優先するように設定されており、
前記取得部は、前記１つの空気調和機の前記第２温度センサの検出結果を示す前記第２情報を取得し、
前記動作制御部は、前記第２情報に基づいて、前記温度調整機能の動作を制御する、請求項４に記載の空気調和機。
【請求項６】
前記他の空気調和機は、複数の空気調和機を含み、
前記取得部は、前記複数の空気調和機の各々の前記第２温度センサの検出結果を示す前記第２情報を取得し、
前記動作制御部は、前記第２情報に基づいて、前記温度調整機能の動作を制御する、請求項４に記載の空気調和機。
【請求項７】
前記複数の空気調和機の各々の前記第２温度センサの検出値の中央値を求める算出部を更に備え、
前記動作制御部は、前記中央値に基づいて、前記温度調整機能の動作を制御する、請求項６に記載の空気調和機。
【請求項８】
前記他の空気調和機は、前記１つの部屋の床に配置され、
前記空気調和機は、前記１つの部屋の天井の近傍に配置される、請求項４から請求項７のいずれか１項に記載の空気調和機。
【請求項９】
前記他の空気調和機は、温度調整機能を備え、
前記取得部は、前記第１情報と前記第２情報とを取得し、
前記第１情報が、前記温度調整機能を前記他の空気調和機が実行している旨を示し、
前記第２情報が、前記第２温度センサの検出結果を示し、
前記空気調和機は、第１温度センサを備え、
前記第１温度センサの検出温度と前記第２温度センサの検出温度との差の絶対値が所定値以上である場合に、前記動作制御部は、風量を増加するように動作を制御する、請求項１から請求項７のいずれか１項に記載の空気調和機。
【請求項１０】
前記他の空気調和機は、湿度調整機能を備え、
前記取得部は、前記第１情報と前記第２情報とを取得し、
前記第１情報が、前記湿度調整機能を前記他の空気調和機が実行している旨を示し、
前記第２情報が、前記第２湿度センサの検出結果を示し、
前記空気調和機は、第１湿度センサを備え、
前記第１湿度センサの検出湿度と前記第２湿度センサの検出湿度との差の絶対値が所定値以上である場合に、前記動作制御部は、風量が増加するように動作を制御する、請求項１から請求項７のいずれか１項に記載の空気調和機。
【請求項１１】
前記他の空気調和機は、前記１つの部屋の天井の近傍に配置され、
前記空気調和機は、前記１つの部屋の床に配置される、請求項９又は請求項１０に記載の空気調和機。
【請求項１２】
空気調和機と、他の空気調和機とを備える空気調和システムであって、
前記空気調和機は、前記他の空気調和機と通信可能に接続され、
前記空気調和機は、
第１情報、及び第２情報の少なくとも一方を取得する取得部と、
前記取得部の取得結果に基づいて、温度調整機能、湿度調整機能、及び送風機能のうちの少なくとも１つの機能の動作を制御する動作制御部と
を備え、
前記他の空気調和機は、温度センサ及び湿度センサの少なくとも一方を有し、
前記第１情報は、前記他の空気調和機の運転状態を示し、
前記第２情報は、前記温度センサ及び前記湿度センサの少なくとも一方の検出結果を示し、
前記空気調和機と前記他の空気調和機とは、１つの部屋に配置される、空気調和システム。
【発明の詳細な説明】
【技術分野】
【０００１】
本発明は、空気調和機、及び空気調和システムに関する。
【背景技術】
【０００２】
特許文献１に記載された空気調和機は、送風部と、床温度検出部と、制御部とを備える。送風部は、低位置及び高位置のそれぞれに送風する。床温度検出部は、床温度を検出する。制御部は、低位置の空気の温度が低位置目標温度になるように、且つ高位置の空気の温度が低位置目標温度より低い高位置目標温度になるように送風部を制御する。そして、制御部は、低位置目標温度を床温度検出部が検出した床温度よりも高い温度に決定し、高位置目標温度を床温度検出部が検出した床温度よりも低い温度に決定する。
【先行技術文献】
【特許文献】
【０００３】
【特許文献１】特開２０１７−１３８０４０号公報
【発明の概要】
【発明が解決しようとする課題】
【０００４】
しかしながら、特許文献１に記載された空気調和機では、低位置の空気の温度が低位置目標温度になるように、且つ高位置の空気の温度が低位置目標温度よりも低い高位置目標温度になるように送風部を制御する。したがって、空気調和機の制御が複雑になる可能性がある。
【０００５】
本発明は、上記課題に鑑みてなされたものであり、制御を簡素化可能な空気調和機、及び空気調和システムを提供することを目的としている。
【課題を解決するための手段】
【０００６】
本発明に係る空気調和機は、他の空気調和機と通信可能に接続される。前記空気調和機は、取得部と、動作制御部とを備える。前記取得部は、第１情報、及び第２情報の少なくとも一方を取得する。前記動作制御部は、前記取得部の取得結果に基づいて、温度調整機能、湿度調整機能、及び送風機能のうちの少なくとも１つの機能の動作を制御する。前記他の空気調和機は、第２温度センサ及び第２湿度センサの少なくとも一方を有する。前記第１情報は、前記他の空気調和機の運転状態を示す。前記第２情報は、前記第２温度センサ及び前記第２湿度センサの少なくとも一方の検出結果を示す。前記他の空気調和機と前記空気調和機とは、１つの部屋に配置される。
【０００７】
本発明に係る空気調和システムは、空気調和機と、他の空気調和機とを備える。前記空気調和機は、前記他の空気調和機と通信可能に接続される。前記空気調和機は、取得部と、動作制御部とを備える。前記取得部は、第１情報、及び第２情報の少なくとも一方を取得する。前記動作制御部は、前記取得部の取得結果に基づいて、温度調整機能、湿度調整機能、及び送風機能のうちの少なくとも１つの機能の動作を制御する。前記他の空気調和機は、温度センサ及び湿度センサの少なくとも一方を有する。前記第１情報は、前記他の空気調和機の運転状態を示す。前記第２情報は、前記温度センサ及び前記湿度センサの少なくとも一方の検出結果を示す。前記他の空気調和機と前記空気調和機とは、１つの部屋に配置される。
【発明の効果】
【０００８】
本発明に係る空気調和機、及び空気調和システムによれば、制御を簡素化できる。
【図面の簡単な説明】
【０００９】
【図１】（ａ）本発明の実施形態に係る空気調和システムの構成の一例を示す図である。（ｂ）空気調和システムの第１空気調和機及び第２空気調和機の配置の一例を示す斜視図である。
【図２】第１空気調和機の一例を示す斜視図である。
【図３】第１空気調和機の一例を示す断面図である。
【図４】第１空気調和機、及び第２空気調和機の構成の一例を示す図である。
【図５】第１実施形態に係る第１空気調和機の制御部の動作を示すフローチャートである。
【図６】第２実施形態に係る第１空気調和機の制御部の動作を示すフローチャートである。
【図７】第３実施形態に係る第１空気調和機の制御部の動作を示すフローチャートである。
【図８】第４実施形態に係る第１空気調和機の制御部の動作を示すフローチャートである。
【図９】第５実施形態に係る第２空気調和機の制御部の動作を示すフローチャートである。
【図１０】第６実施形態に係る第２空気調和機の制御部の動作を示すフローチャートである。
【図１１】（ａ）本発明の実施形態に係る空気調和システムの構成の他の一例を示す図である。（ｂ）本発明の実施形態に係る空気調和システムの構成の他の一例を示す図である。
【発明を実施するための形態】
【００１０】
以下、本発明の実施形態について、図面（図１〜図１１）を参照しながら説明する。なお、図中、同一又は相当部分については同一の参照符号を付して説明を繰り返さない。
【００１１】
まず、図１を参照して、本発明の実施形態に係る空気調和システム１００の構成について説明する。図１（ａ）は、空気調和システム１００の構成の一例を示す図である。図１（ｂ）は、空気調和システム１００の第１空気調和機３及び第２空気調和機５の配置の一例を示す斜視図である。
【００１２】
図１（ａ）に示すように、空気調和システム１００は、サーバー装置１と、第１空気調和機３と、第２空気調和機５と、通信端末７とを備える。サーバー装置１と第１空気調和機３と第２空気調和機５と通信端末７とは、ネットワークＮＷを介して互いに通信可能に接続される。ネットワークＮＷは、例えば、インターネットである。
【００１３】
サーバー装置１は、ネットワークＮＷに接続される。サーバー装置１は、コンピュータであり、ＣＰＵ（Ｃｅｎｔｒａｌ  Ｐｒｏｃｅｓｓｉｎｇ  Ｕｎｉｔ）のようなプロセッサと、記憶装置とを含む。記憶装置は、半導体メモリーを含む。記憶装置は、ハードディスクドライブ（Ｈａｒｄ  Ｄｉｓｋ  Ｄｒｉｖｅ）を備えてもよい。記憶装置は、制御プログラムを記憶する。サーバー装置１のプロセッサは、制御プログラムを実行して、各種の処理を実行する。
【００１４】
具体的には、サーバー装置１は、ネットワークＮＷを介して、第１空気調和機３、第２空気調和機５及び通信端末７に接続する。サーバー装置１は、情報ＩＦＡを受信する。情報ＩＦＡは、通信端末７が送信した情報を示す。そして、サーバー装置１は、情報ＩＦＡに基づいて第１空気調和機３及び第２空気調和機５と通信する。すなわち、ユーザーは、通信端末７を操作することによって、サーバー装置１を介して第１空気調和機３及び第２空気調和機５を操作する。
【００１５】
また、サーバー装置１は、情報ＩＦＢと、情報ＩＦＣとを受信する。情報ＩＦＢは、第１空気調和機３が送信した情報を示す。情報ＩＦＣは、第２空気調和機５が送信した情報を示す。そして、サーバー装置１は、情報ＩＦＢを第２空気調和機５に送信する。また、サーバー装置１は、情報ＩＦＣを第１空気調和機３に送信する。情報ＩＦＢ及び情報ＩＦＣの各々は、第１情報ＩＦ１と第２情報ＩＦ２とを含む。第１情報ＩＦ１は、第１空気調和機３又は第２空気調和機５の運転状態を示す。第２情報ＩＦ２は、第１空気調和機３又は第２空気調和機５に配置された温度センサ及び湿度センサの検出結果を示す。
【００１６】
図１（ａ）及び図１（ｂ）に示すように、第１空気調和機３はネットワークＮＷに接続される。第１空気調和機３は建物の部屋ＲＭに配置される。具体的には、第１空気調和機３は、部屋ＲＭの天井の近傍に配置される。以下の説明において、部屋ＲＭの内部を「室内」と記載する場合がある。第１空気調和機３は、室内の空気調和を実行する。第１空気調和機３は室内機である。なお、第１空気調和機３は、配管によって室外機と接続される。そして、配管を通して、第１空気調和機３と室外機との間で冷媒が循環する。室外機は室外に配置される。室外機は、ファンと、圧縮機と、熱交換器とを備える。
【００１７】
第２空気調和機５はネットワークＮＷに接続される。第２空気調和機５は建物の部屋ＲＭに配置される。第２空気調和機５が配置される部屋ＲＭと、第１空気調和機３が配置される部屋ＲＭとは同一の部屋ＲＭである。すなわち、第１空気調和機３と第２空気調和機５とは、１つの部屋ＲＭに配置される。具体的には、第２空気調和機５は、部屋ＲＭの床に載置される。第２空気調和機５は空気の調和を実行する。第２空気調和機５は室内機である。なお、第２空気調和機５は、配管によって室外機と接続される。そして、配管を通して、第２空気調和機５と室外機との間で冷媒が循環する。室外機は室外に配置される。室外機は、ファンと、圧縮機と、熱交換器とを備える。
【００１８】
第２空気調和機５は、第２空気調和機５Ａ、第２空気調和機５Ｂ及び第２空気調和機５Ｃを含む。第２空気調和機５Ａ、第２空気調和機５Ｂ及び第２空気調和機５Ｃは、互いに略同一の構成を有する。図１（ｂ）に示すように、第２空気調和機５Ａは、第１空気調和機３から離間する位置に配置される。第２空気調和機５Ｃは、第１空気調和機３と近接する位置に配置される。第２空気調和機５Ｂは、第２空気調和機５Ａよりも第１空気調和機３と近接する位置であって、且つ第２空気調和機５Ｃよりも第１空気調和機３から離間する位置に配置される。
【００１９】
通信端末７はネットワークＮＷに接続される。通信端末７は表示部７ａを含む。表示部７ａは各種情報を表示する。通信端末７は、例えば、スマートフォンである。通信端末７は、ＣＰＵのようなプロセッサと、記憶装置とを含む。記憶装置は、制御プログラムを記憶する。通信端末７のプロセッサは、制御プログラムを実行して、各種の処理を実行する。
【００２０】
なお、図１を参照して説明したように、本発明の実施形態では、ネットワークＮＷがインターネットであるが、本発明はこれに限定されない。ネットワークＮＷは、サーバー装置１と第１空気調和機３と第２空気調和機５と通信端末７とを互いに通信可能に接続すればよい。例えば、ネットワークＮＷがＬＡＮ（Ｌｏｃａｌ  Ａｒｅａ  Ｎｅｔｗｏｒｋ）でもよい。また例えば、ネットワークＮＷがＷＡＮ（Ｗｉｄｅ  Ａｒｅａ  Ｎｅｔｗｏｒｋ）でもよい。
【００２１】
次に、図１〜図３を参照して、第１空気調和機３の構成について更に説明する。図２は、第１空気調和機３の一例を示す斜視図である。図３は、第１空気調和機３の一例を示す断面図である。
【００２２】
図２に示すように、第１空気調和機３は、筐体３０と、フィルタ３１と、第１温度センサ３４と、第１湿度センサ３５とを含む。筐体３０は吸込口Ｐ１を有する。吸込口Ｐ１は筐体３０の上面に形成される。フィルタ３１は吸込口Ｐ１に配置される。フィルタ３１は室内の空気中の塵埃を集塵する。具体的には、フィルタ３１は、吸込口Ｐ１から吸込んだ室内の空気から塵埃を集塵する。第１温度センサ３４は、室内の空気中の温度を検出する。第１湿度センサ３５は、室内の空気中の湿度を検出する。
【００２３】
図３に示すように、第１空気調和機３は、熱交換器３２と、ファン３３とを更に含む。熱交換器３２及びファン３３は、筐体３０に収容される。筐体３０は、吹出口Ｐ２を更に有する。吹出口Ｐ２は、筐体３０の前面下部に形成される。
【００２４】
熱交換器３２は熱交換を実行する。具体的には、熱交換器３２は、空気と冷媒との間で熱エネルギーを交換する。筐体３０の内部には、吸込口Ｐ１から吹出口Ｐ２に至る空気通路が形成され、空気通路に熱交換器３２及びファン３３が配置される。ファン３３は、吸込口Ｐ１を通して空気を吸い込み、吸い込んだ空気を吹出口Ｐ２を通して外部に送り出す。
【００２５】
次に、図１〜図４を参照して、第１空気調和機３及び第２空気調和機５の構成について更に説明する。図４は、第１空気調和機３及び第２空気調和機５の構成の一例を示す図である。図４に示すように、第１空気調和機３は、制御部３６と、記憶部３７と、通信部３８とを更に含む。第２空気調和機５は、フィルタ３１と、熱交換器５２と、ファン５３と、第２温度センサ５４と、第２湿度センサ５５と、制御部５６と、記憶部５７と、通信部５８とを含む。なお、図４では、第１温度センサ３４と、第２温度センサ５４とを温度センサと記載し、第１湿度センサ３５と、第２湿度センサ５５とを湿度センサと記載している。
【００２６】
第２空気調和機５の熱交換器５２は、図２及び図３を参照して説明した第１空気調和機３の熱交換器３２と同様の構成を有する。第２空気調和機５のファン５３は、図２及び図３を参照して説明した第１空気調和機３のファン３３と同様の構成を有する。第２空気調和機５の第２温度センサ５４は、図２及び図３を参照して説明した第１空気調和機３の第１温度センサ３４と同様の構成を有する。第２空気調和機５の第２湿度センサ５５は、図２及び図３を参照して説明した第１空気調和機３の第１湿度センサ３５と同様の構成を有する。
【００２７】
第２空気調和機５の制御部５６は、第１空気調和機３の制御部３６と同様の構成を有する。第２空気調和機５の記憶部５７は、第１空気調和機３の記憶部３７と同様の構成を有する。第２空気調和機５の通信部５８は、第１空気調和機３の通信部３８と同様の構成を有する。そこで、以下の説明では、第１空気調和機３の制御部３６、記憶部３７及び通信部３８について説明し、第２空気調和機５の制御部５６、記憶部５７及び通信部５８については、その説明を省略する。
【００２８】
制御部３６は、熱交換器３２、ファン３３、第１温度センサ３４、第１湿度センサ３５及び通信部３８を制御する。制御部３６は、ＣＰＵのようなプロセッサを含む。記憶部３７は、制御プログラムを記憶する。
【００２９】
制御部３６は、取得部３６１と、動作制御部３６２と、算出部３６３とを含む。具体的には、制御部３６のプロセッサは、制御プログラムを実行して、取得部３６１、動作制御部３６２及び算出部３６３として機能する。
【００３０】
取得部３６１は、第１情報ＩＦ１及び第２情報ＩＦ２を取得する。第１情報ＩＦ１は、第２空気調和機５の運転状態を示す。第２情報ＩＦ２は、第２温度センサ５４及び第２湿度センサ５５の検出結果を示す。
【００３１】
動作制御部３６２は、取得部３６１の取得結果に基づいて、温度調整機能、湿度調整機能、及び送風機能のうちの少なくとも１つの機能の動作を制御する。
【００３２】
算出部３６３は、種々の計算を実行する。
【００３３】
通信部３８はネットワークＮＷに接続する。そして、通信部３８は、ネットワークＮＷを介してサーバー装置１と通信する。すなわち、制御部３６は、通信部３８を介してサーバー装置１と通信する。
【００３４】
通信部３８を介して、第１空気調和機３は第２空気調和機５と連携する。すなわち、通信部３８は、第２空気調和機５の第１情報ＩＦ１及び第２情報ＩＦ２を受信する。
【００３５】
以上、図１〜図４を参照して説明したように、本発明の実施形態では、動作制御部３６２は、第１情報ＩＦ１及び前記第２情報ＩＦ２に基づいて、温度調整機能、湿度調整機能、及び送風機能のうちの少なくとも１つの機能の動作を制御する。第１情報ＩＦ１は、第２空気調和機５の運転状態を示し、第２情報ＩＦ２は、第２温度センサ５４及び第２湿度センサ５５の検出結果を示す。よって、簡素な構成で、第１空気調和機３を的確に制御できる。したがって、制御を簡素化できる。
【００３６】
また、動作制御部５６２は、第１情報ＩＦ１及び前記第２情報ＩＦ２に基づいて、温度調整機能、湿度調整機能、及び送風機能のうちの少なくとも１つの機能の動作を制御する。第１情報ＩＦ１は、第１空気調和機３の運転状態を示し、第２情報ＩＦ２は、第１温度センサ３４及び第１湿度センサ３５の検出結果を示す。よって、簡素な構成で、第２空気調和機５を的確に制御できる。したがって、制御を簡素化できる。
【００３７】
なお、本発明の実施形態では、取得部３６１が第１情報ＩＦ１及び第２情報ＩＦ２を取得するが、本発明はこれに限定されない。取得部３６１が第１情報ＩＦ１及び第２情報ＩＦ２の少なくとも一方を取得すればよい。例えば、取得部３６１が第１情報ＩＦ１だけを取得してもよい。また、例えば、取得部３６１が第２情報ＩＦ２だけを取得してもよい。
【００３８】
また、本発明の実施形態では、空気調和システム１００が、第２空気調和機５を含むが、本発明はこれに限定されない。空気調和システム１００が、第２空気調和機５に換えて、空気清浄器を含んでもよい。空気清浄器は、湿度調整機能、及び送風機能を有する。
【００３９】
また、本発明の実施形態では、取得部５６１が第１情報ＩＦ１及び第２情報ＩＦ２を取得するが、本発明はこれに限定されない。取得部５６１が第１情報ＩＦ１及び第２情報ＩＦ２の少なくとも一方を取得すればよい。例えば、取得部５６１が第１情報ＩＦ１だけを取得してもよい。また、例えば、取得部５６１が第２情報ＩＦ２だけを取得してもよい。
【００４０】
また、本発明の実施形態では、第２情報ＩＦ２は、第２温度センサ５４及び第２湿度センサ５５の検出結果を示すが、本発明はこれに限定されない。第２情報ＩＦ２は、第２温度センサ５４及び第２湿度センサ５５の少なくとも一方の検出結果を示せばよい。例えば、第２情報ＩＦ２が、第２温度センサ５４の検出結果を示してもよい。また、例えば、第２情報ＩＦ２が、第２湿度センサ５５の検出結果を示してもよい。
【００４１】
また、本発明の実施形態では、第２情報ＩＦ２は、第１温度センサ３４及び第１湿度センサ３５の検出結果を示すが、本発明はこれに限定されない。第２情報ＩＦ２は、第１温度センサ３４及び第１湿度センサ３５の少なくとも一方の検出結果を示せばよい。例えば、第２情報ＩＦ２が、第１温度センサ３４の検出結果を示してもよい。また、例えば、第２情報ＩＦ２が、第１湿度センサ３５の検出結果を示してもよい。
【００４２】
また、本発明の実施形態は、第１実施形態、第２実施形態、第３実施形態、第４実施形態、第５実施形態、及び第６実施形態を含む。第１実施形態については、後述にて図５を参照して詳細に説明する。第２実施形態については、後述にて図６を参照して詳細に説明する。第３実施形態については、後述にて図７を参照して詳細に説明する。第４実施形態については、後述にて図８を参照して詳細に説明する。第５実施形態については、後述にて図９を参照して詳細に説明する。第６実施形態については、後述にて図１０を参照して詳細に説明する。
【００４３】
＜第１実施形態＞
次に、図１〜図５を参照して、本発明の第１実施形態に係る第１空気調和機３について説明する。図５は、第１空気調和機３の制御部３６の動作を示すフローチャートである。本発明の第１実施形態では、第１空気調和機３は、「空気調和機」の一例に相当する。第２空気調和機５は、「他の空気調和機」の一例に相当する。
図５に示すように、まず、ステップＳ１０１において、制御部３６の取得部３６１は、第１情報ＩＦ１を取得する。第１情報ＩＦ１は、第２空気調和機５の運転状態を示す。具体的には、第１情報ＩＦ１は、第２空気調和機５Ａ、第２空気調和機５Ｂ及び第２空気調和機５Ｃの各々の運転状態を示す。
次に、ステップＳ１０３において、制御部３６の動作制御部３６２は、第１情報ＩＦ１に基づき、第２空気調和機５が除湿機能の動作を開始したか否かを判定する。具体的には、制御部３６の動作制御部３６２は、第２空気調和機５Ａ、第２空気調和機５Ｂ及び第２空気調和機５Ｃの少なくとも１つが除湿機能の動作を開始したか否かを判定する。
第２空気調和機５が除湿機能の動作を開始していないと動作制御部３６２が判定した場合（ステップＳ１０３でＮＯ）には、処理がステップＳ１０３に戻る。第２空気調和機５が除湿機能の動作を開始したと動作制御部３６２が判定した場合（ステップＳ１０３でＹＥＳ）には、処理がステップＳ１０５に進む。
【００４４】
そして、ステップＳ１０５において、動作制御部３６２は、第１空気調和機３が加湿中であるか否かを判定する。「加湿中」とは、第１空気調和機３が加湿機能を動作中であることを示す。
加湿中ではないと動作制御部３６２が判定した場合（ステップＳ１０５でＮＯ）には、処理がステップＳ１０９に進む。加湿中であると動作制御部３６２が判定した場合（ステップＳ１０５でＹＥＳ）には、処理がステップＳ１０７に進む。
そして、ステップＳ１０７において、動作制御部３６２が加湿機能の動作を停止する。
次に、ステップＳ１０９において、動作制御部３６２が、除湿機能を動作可能であるか否かを判定する。動作制御部３６２は、例えば、第１湿度センサ３５の検出した湿度が所定湿度以上である場合に除湿機能を動作可能であると判定する。所定湿度は、例えば５０％である。
除湿機能を動作可能ではないと動作制御部３６２が判定した場合（ステップＳ１０９でＮＯ）には、処理が終了する。除湿機能を動作可能であると動作制御部３６２が判定した場合（ステップＳ１０９でＹＥＳ）には、処理がステップＳ１１１に進む。
そして、ステップＳ１１１において、動作制御部３６２が、除湿機能の動作を開始し、処理が終了する。
【００４５】
以上、図１〜図５を参照して説明したように、本発明の第１実施形態では、第１情報ＩＦ１が、除湿機能の動作を第２空気調和機５が開始した旨を示す場合に、動作制御部３６２は、加湿機能の動作を停止する。よって、第２空気調和機５の除湿機能の動作を第１空気調和機３が妨げない。したがって、第２空気調和機５の除湿機能を効果的に動作できる。
【００４６】
また、除湿機能を動作可能である場合には、動作制御部３６２は、除湿機能の動作を開始する。したがって、第１空気調和機３と第２空気調和機５とが協働して除湿機能を更に効果的に動作できる。
【００４７】
なお、本発明の第１実施形態では、第２空気調和機５が除湿機能の動作を開始した場合に、第１空気調和機３が加湿機能の動作を停止するが、本発明はこれに限定されない。第１空気調和機３が除湿機能の動作を開始した場合に、第２空気調和機５が加湿機能の動作を停止してもよい。
【００４８】
また、本発明の第１実施形態では、第１情報ＩＦ１が、除湿機能の動作を第２空気調和機５が開始した旨を示す場合に、動作制御部３６２は、加湿機能の動作を停止するが、本発明はこれに限定されない。動作制御部３６２は、加湿機能の動作を規制すればよい。例えば、動作制御部３６２が、目標湿度の値を減少してもよい。
【００４９】
また、本発明の第１実施形態では、空気調和システム１００が、第２空気調和機５を含むが、本発明はこれに限定されない。空気調和システム１００が、第２空気調和機５に換えて、空気清浄器を含んでもよい。すなわち、除湿機能の動作を空気清浄器が開始した場合に、第１空気調和機３は、加湿機能の動作を停止する。
【００５０】
＜第２実施形態＞
次に、図１〜図４及び図６を参照して、本発明の第２実施形態に係る第１空気調和機３について説明する。図６は、第１空気調和機３の制御部３６の動作を示すフローチャートである。本発明の第２実施形態では、第１空気調和機３は、「空気調和機」の一例に相当する。第２空気調和機５は、「他の空気調和機」の一例に相当する。
図６に示すように、まず、ステップＳ２０１において、制御部３６の取得部３６１は、第１情報ＩＦ１を取得する。第１情報ＩＦ１は、第２空気調和機５の運転状態を示す。具体的には、第１情報ＩＦ１は、第２空気調和機５Ａ、第２空気調和機５Ｂ及び第２空気調和機５Ｃの各々の運転状態を示す。
次に、ステップＳ２０３において、制御部３６の動作制御部３６２は、第１情報ＩＦ１に基づき、第２空気調和機５が加湿機能の動作を開始したか否かを判定する。具体的には、制御部３６の動作制御部３６２は、第２空気調和機５Ａ、第２空気調和機５Ｂ及び第２空気調和機５Ｃの少なくとも１つが加湿機能の動作を開始したか否かを判定する。
第２空気調和機５が加湿機能の動作を開始していないと動作制御部３６２が判定した場合（ステップＳ２０３でＮＯ）には、処理がステップＳ２０１に戻る。第２空気調和機５が加湿機能の動作を開始したと動作制御部３６２が判定した場合（ステップＳ２０３でＹＥＳ）には、処理がステップＳ２０５に進む。
【００５１】
そして、ステップＳ２０５において、動作制御部３６２が、第１空気調和機３が除湿中であるか否かを判定する。「除湿中」とは、第１空気調和機３が除湿機能を動作中であることを示す。
除湿中ではないと動作制御部３６２が判定した場合（ステップＳ２０５でＮＯ）には、処理がステップＳ２０９に進む。除湿中であると動作制御部３６２が判定した場合（ステップＳ２０５でＹＥＳ）には、処理がステップＳ２０７に進む。
そして、ステップＳ２０７において、動作制御部３６２が除湿機能の動作を停止する。
次に、ステップＳ２０９において、動作制御部３６２が、加湿機能を動作可能であるか否かを判定する。動作制御部３６２は、例えば、第１湿度センサ３５の検出した湿度が所定湿度以下である場合に加湿機能を動作可能であると判定する。所定湿度は、例えば５０％である。
加湿機能を動作可能ではないと動作制御部３６２が判定した場合（ステップＳ２０９でＮＯ）には、処理が終了する。加湿機能を動作可能であると動作制御部３６２が判定した場合（ステップＳ２０９でＹＥＳ）には、処理がステップＳ２１１に進む。
そして、ステップＳ２１１において、動作制御部３６２が、加湿機能の動作を開始し、処理が終了する。
【００５２】
以上、図１〜図４及び図６を参照して説明したように、本発明の第２実施形態では、第１情報ＩＦが、加湿機能の動作を第２空気調和機５が開始した旨を示す場合に、動作制御部３６２は、除湿機能の動作を停止する。よって、第２空気調和機５の加湿機能の動作を第１空気調和機３が妨げない。したがって、第２空気調和機５の加湿機能を効果的に動作できる。
【００５３】
また、加湿機能を動作可能である場合には、動作制御部３６２は、加湿機能の動作を開始する。したがって、第１空気調和機３と第２空気調和機５とが協働して加湿機能を更に効果的に動作できる。
【００５４】
なお、本発明の第２実施形態では、第２空気調和機５が加湿機能の動作を開始した場合に、第１空気調和機３が除湿機能の動作を停止するが、本発明はこれに限定されない。第１空気調和機３が加湿機能の動作を開始した場合に、第２空気調和機５が除湿機能の動作を停止してもよい。
【００５５】
また、本発明の第２実施形態では、第１情報ＩＦ１が、加湿機能の動作を第２空気調和機５が開始した旨を示す場合に、動作制御部３６２は、除湿機能の動作を停止するが、本発明はこれに限定されない。動作制御部３６２は、除湿機能の動作を規制すればよい。例えば、動作制御部３６２が、目標湿度の値を増加してもよい。
【００５６】
また、本発明の第２実施形態では、空気調和システム１００が、第２空気調和機５を含むが、本発明はこれに限定されない。空気調和システム１００が、第２空気調和機５に換えて、空気清浄器を含んでもよい。すなわち、加湿機能の動作を空気清浄器が開始した場合に、第１空気調和機３は、除湿機能の動作を停止する。
【００５７】
＜第３実施形態＞
次に、図１〜図４及び図７を参照して、本発明の第３実施形態に係る第１空気調和機３について説明する。図７は、第１空気調和機３の制御部３６の動作を示すフローチャートである。本発明の第３実施形態では、第１空気調和機３は、「空気調和機」の一例に相当する。第２空気調和機５は、「他の空気調和機」の一例に相当する。第２空気調和機５Ａ、第２空気調和機５Ｂ及び第２空気調和機５Ｃは、「複数の空気調和機」の一例に相当する。
【００５８】
図７に示すように、まず、ステップＳ３０１において、制御部３６の取得部３６１は、第１情報ＩＦ１を取得する。第１情報ＩＦ１は、第２空気調和機５の運転状態を示す。具体的には、第１情報ＩＦ１は、第２空気調和機５Ａ、第２空気調和機５Ｂ及び第２空気調和機５Ｃの各々の運転状態を示す。第２空気調和機５Ａ、第２空気調和機５Ｂ及び第２空気調和機５Ｃは、第２空気調和機５Ａ、第２空気調和機５Ｂ及び第２空気調和機５Ｃのうちの１つの空気調和機を優先するように設定されている。すなわち、第１情報ＩＦ１は、第２空気調和機５Ａ、第２空気調和機５Ｂ及び第２空気調和機５Ｃのうちの優先する空気調和機を示す。「優先する空気調和機」は、第１空気調和機３の動作を決定する際に、第１空気調和機３が参照する空気調和機を示す。以下の説明では、優先する空気調和機を、第２空気調和機５αと記載する。第２空気調和機５αは、第２空気調和機５Ａ、第２空気調和機５Ｂ及び第２空気調和機５Ｃのうちの１つの空気調和機を示す。第２空気調和機５αは、「１つの空気調和機」の一例に相当する。
【００５９】
次に、ステップＳ３０３において、制御部３６は、優先する空気調和機が設定されているか否かを判定する。
優先する空気調和機が設定されていると制御部３６が判定した場合（ステップＳ３０３でＹＥＳ）には、処理がステップＳ３１５に進む。優先する空気調和機が設定されていないと制御部３６が判定した場合（ステップＳ３０３でＮＯ）には、処理がステップＳ３０５に進む。
そして、ステップＳ３０５において、制御部３６の取得部３６１は、第２空気調和機５Ａから第２情報ＩＦ２を取得することによって、第２空気調和機５Ａの第２温度センサ５４の検出温度ＴＡを取得する。
次に、ステップＳ３０７において、取得部３６１は、第２空気調和機５Ｂから第２情報ＩＦ２を取得することによって、第２空気調和機５Ｂの第２温度センサ５４の検出温度ＴＢを取得する。
次に、ステップＳ３０９において、取得部３６１は、第２空気調和機５Ｃから第２情報ＩＦ２を取得することによって、第２空気調和機５Ｃの第２温度センサ５４の検出温度ＴＣを取得する。
【００６０】
次に、ステップＳ３１１において、制御部３６の算出部３６３は、中央値ＴＤを算出する。中央値ＴＤは、検出温度ＴＡと、検出温度ＴＢと、検出温度ＴＣとの中央値を示す。
例えば、検出温度ＴＡと、検出温度ＴＢと、検出温度ＴＣとが次の式（１）を満たす場合に、中央値ＴＤは、検出温度ＴＢの値を示す。
ＴＡ≧ＴＢ≧ＴＣ      （１）
次に、ステップＳ３１３において、制御部３６の動作制御部３６２は、中央値ＴＤに基づき、温度調整機能の動作を制御する。すなわち、動作制御部３６２は、中央値ＴＤが所定の温度（例えば、ユーザが指定した温度）になるように、温度調整機能の動作を制御する。そして、処理が終了する。
【００６１】
ステップＳ３０３でＹＥＳの場合には、ステップＳ３１５において、制御部３６の取得部３６１は、第２空気調和機５αから第２情報ＩＦ２を取得することによって、第２空気調和機５αの第２温度センサ５４の検出温度Ｔαを取得する。
次に、ステップＳ３１７において、制御部３６の動作制御部３６２は、検出温度Ｔαに基づき、温度調整機能の動作を制御する。すなわち、動作制御部３６２は、検出温度Ｔαが所定の温度（例えば、ユーザが指定した温度）になるように、温度調整機能の動作を制御する。そして、処理が終了する。
【００６２】
以上、図１〜図４及び図７を参照して説明したように、本発明の第３実施形態では、第２温度センサ５４の検出結果を示す第２情報ＩＦ２を取得し、第２情報ＩＦ２に基づいて、温度調整機能の動作を制御する。よって、第２空気調和機５の動作を第１空気調和機３が妨げない。したがって、１つの部屋ＲＭの温度を効率的に制御できる。
【００６３】
また、３つの第２空気調和機５（第２空気調和機５Ａ、第２空気調和機５Ｂ及び第２空気調和機５Ｃ）のうちの第２空気調和機５αを優先するように設定されている場合には、取得部３６１は、第２空気調和機５αの第２温度センサ５４の検出結果を示す第２情報ＩＦ２を取得する。動作制御部３６２は、第２情報ＩＦ２に基づいて、温度調整機能を制御する。すなわち、第２空気調和機５αの第２温度センサ５４の検出結果に基づいて、温度調整機能の動作を制御する。したがって、例えば、ユーザーが３つの第２空気調和機５の中から第２空気調和機５αを選択することによって、ユーザーの所望する温度制御を第１空気調和機３に実行させることができる。
【００６４】
また、取得部３６１は、第２空気調和機５Ａ、第２空気調和機５Ｂ及び第２空気調和機５Ｃの各々の第２温度センサ５４の検出結果を示す第２情報ＩＦ２を取得し、動作制御部３６２は、第２情報ＩＦ２に基づいて、温度調整機能の動作を制御する。したがって、第１空気調和機３の温度調整機能を更に適切に制御できる。
【００６５】
また、算出部３６３は、第２空気調和機５Ａの検出温度ＴＡと、第２空気調和機５Ｂの検出温度ＴＢと、第２空気調和機５Ｃの検出温度ＴＣとの中央値ＴＤを求める。そして、動作制御部３６２は、中央値ＴＤに基づいて、温度調整機能の動作を制御する。したがって、第１空気調和機３の温度調整機能を更に適切に制御できる。
【００６６】
また、第２空気調和機５は１つの部屋ＲＭの床に配置されるため、第２空気調和機５の第２温度センサ５４は、ユーザーの感知する温度に近い温度を検出する。よって、ユーザーの感知する温度に近い温度に基づいて、第１空気調和機３の動作を制御できる。したがって、第１空気調和機３の温度調整機能を適正に動作できる。
【００６７】
なお、本発明の第３実施形態では、第２空気調和機５が３つの空気調和機を含むが、本発明はこれに限定されない。第２空気調和機５が複数の空気調和機を含めばよい。例えば、第２空気調和機５が、２つの空気調和機を含んでもよい。また例えば、第２空気調和機５が、４つ以上の空気調和機を含んでもよい。
【００６８】
また、本発明の第３実施形態では、空気調和システム１００が、第２空気調和機５を含むが、本発明はこれに限定されない。空気調和システム１００が、第２空気調和機５に換えて、空気清浄器を含んでもよい。すなわち、空気清浄器の検出温度に基づいて、第１空気調和機３の温度調整機能を制御してもよい。
【００６９】
＜第４実施形態＞
次に、図１〜図４及び図８を参照して、本発明の第４実施形態に係る第１空気調和機３について説明する。図８は、第１空気調和機３の制御部３６の動作を示すフローチャートである。本発明の第４実施形態では、第１空気調和機３は、「空気調和機」の一例に相当する。第２空気調和機５は、「他の空気調和機」の一例に相当する。第２空気調和機５Ａ、第２空気調和機５Ｂ及び第２空気調和機５Ｃは、「複数の空気調和機」の一例に相当する。
【００７０】
図８に示すように、まず、ステップＳ４０１において、制御部３６の取得部３６１は、第１情報ＩＦ１を取得する。第１情報ＩＦ１は、第２空気調和機５の運転状態を示す。具体的には、第１情報ＩＦ１は、第２空気調和機５Ａ、第２空気調和機５Ｂ及び第２空気調和機５Ｃの各々の運転状態を示す。更に具体的には、第１情報ＩＦ１は、第２空気調和機５Ａ、第２空気調和機５Ｂ及び第２空気調和機５Ｃのうちの優先する空気調和機を示す。「優先する空気調和機」は、第１空気調和機３の動作を決定する際に、第１空気調和機３が参照する空気調和機を示す。以下の説明では、優先する空気調和機を、第２空気調和機５βと記載する。第２空気調和機５βは、第２空気調和機５Ａ、第２空気調和機５Ｂ及び第２空気調和機５Ｃのうちの１つの空気調和機を示す。第２空気調和機５αは、「１つの空気調和機」の一例に相当する。
【００７１】
次に、ステップＳ４０３において、制御部３６は、優先する空気調和機が設定されているか否かを判定する。
優先する空気調和機が設定されていると制御部３６が判定した場合（ステップＳ４０３でＹＥＳ）には、処理がステップＳ４１５に進む。優先する空気調和機が設定されていないと制御部３６が判定した場合（ステップＳ４０３でＮＯ）には、処理がステップＳ４０５に進む。
そして、ステップＳ４０５において、制御部３６の取得部３６１は、第２空気調和機５Ａから第２情報ＩＦ２を取得することによって、第２空気調和機５Ａの第２湿度センサ５５の検出湿度ＨＡを取得する。
次に、ステップＳ４０７において、取得部３６１は、第２空気調和機５Ｂから第２情報ＩＦ２を取得することによって、第２空気調和機５Ｂの第２湿度センサ５５の検出湿度ＨＢを取得する。
次に、ステップＳ４０９において、取得部３６１は、第２空気調和機５Ｃから第２情報ＩＦ２を取得することによって、第２空気調和機５Ｃの第２湿度センサ５５の検出湿度ＨＣを取得する。
【００７２】
次に、ステップＳ４１１において、制御部３６の算出部３６３が、中央値ＨＤを算出する。中央値ＨＤは、検出湿度ＨＡと、検出湿度ＨＢと、検出湿度ＨＣとの中央値を示す。
例えば、検出湿度ＨＡと、検出湿度ＨＢと、検出湿度ＨＣとが次の式（２）を満たす場合に、中央値ＴＤは、検出湿度ＨＢの値を示す。
ＨＡ≧ＨＢ≧ＨＣ      （２）
次に、ステップＳ４１３において、制御部３６の動作制御部３６２は、中央値ＨＤに基づき、湿度調整機能の動作を制御する。すなわち、動作制御部３６２は、中央値ＨＤが所定の湿度（例えば、ユーザが指定した湿度）になるように制御する。その後、処理が終了する。
【００７３】
ステップＳ４０３でＹＥＳの場合には、ステップＳ４１５において、制御部３６の取得部３６１は、第２空気調和機５βから第２情報ＩＦ２を取得することによって、第２空気調和機５βの第２湿度センサ５５の検出湿度Ｈβを取得する。
次に、ステップＳ４１７において、制御部３６の動作制御部３６２は、検出湿度Ｈβに基づき、湿度調整機能の動作を制御する。すなわち、動作制御部３６２は、検出湿度Ｈβが所定の湿度（例えば、ユーザが指定した湿度）になるように制御する。その後、処理が終了する。
【００７４】
以上、図１〜図４及び図７を参照して説明したように、本発明の第４実施形態では、第２湿度センサ５５の検出結果を示す第２情報ＩＦ２を取得し、第２情報ＩＦ２に基づいて、湿度調整機能の動作を制御する。よって、第２空気調和機５の動作を第１空気調和機３が妨げない。したがって、１つの部屋ＲＭの湿度を効率的に制御できる。
【００７５】
また、３つの第２空気調和機５（第２空気調和機５Ａ、第２空気調和機５Ｂ及び第２空気調和機５Ｃ）のうちの第２空気調和機５βを優先するように設定されている場合には、取得部３６１は、第２空気調和機５βの第２湿度センサ５５の検出結果を示す第２情報ＩＦ２を取得する。動作制御部３６２は、第２情報ＩＦ２に基づいて、湿度調整機能を制御する。すなわち、第２空気調和機５βの第２湿度センサ５５の検出結果に基づいて、湿度調整機能の動作を制御する。したがって、例えば、ユーザーが３つの第２空気調和機５の中から第２空気調和機５βを選択することによって、ユーザーの所望する湿度制御を第１空気調和機３に実行させることができる。
【００７６】
また、取得部３６１は、第２空気調和機５Ａ、第２空気調和機５Ｂ及び第２空気調和機５Ｃの各々の第２湿度センサ５５の検出結果を示す第２情報ＩＦ２を取得し、動作制御部３６２は、第２情報ＩＦ２に基づいて、湿度調整機能の動作を制御する。したがって、第１空気調和機３の湿度調整機能を更に適切に制御できる。
【００７７】
また、算出部３６３は、第２空気調和機５Ａの検出湿度ＨＡと、第２空気調和機５Ｂの検出湿度ＨＢと、第２空気調和機５Ｃの検出湿度ＨＣとの中央値ＨＤを求める。そして、動作制御部３６２は、中央値ＨＤに基づいて、湿度調整機能の動作を制御する。したがって、第１空気調和機３の湿度調整機能を更に適切に制御できる。
【００７８】
また、第２空気調和機５は１つの部屋ＲＭの床に配置されるため、第２空気調和機５の第２湿度センサ５５は、ユーザーの感知する湿度に近い湿度を検出する。よって、ユーザーの感知する湿度に近い湿度に基づいて、第１空気調和機３の動作を制御できる。したがって、第１空気調和機３の湿度調整機能を適正に動作できる。
【００７９】
なお、本発明の第４実施形態では、第２空気調和機５が３つの空気調和機を含むが、本発明はこれに限定されない。第２空気調和機５が複数の空気調和機を含めばよい。例えば、第２空気調和機５が、２つの空気調和機を含んでもよい。また例えば、第２空気調和機５が、４つ以上の空気調和機を含んでもよい。
【００８０】
また、本発明の第４実施形態では、空気調和システム１００が、第２空気調和機５を含むが、本発明はこれに限定されない。空気調和システム１００が、第２空気調和機５に換えて、空気清浄器を含んでもよい。すなわち、空気清浄器の検出湿度に基づいて、第１空気調和機３の湿度調整機能を制御してもよい。
【００８１】
＜第５実施形態＞
次に、図１〜図４及び図９を参照して、本発明の第５実施形態に係る第２空気調和機５について説明する。図９は、第２空気調和機５の制御部５６の動作を示すフローチャートである。具体的には、図９に示すフローチャートは、第２空気調和機５Ａ、第２空気調和機５Ｂ及び第２空気調和機５Ｃの各々の制御部５６の動作を示す。本発明の第５実施形態では、第１空気調和機３は、「他の空気調和機」の一例に相当する。第２温度センサ５４は、「第１温度センサ」の一例に相当する。第１温度センサ３４は、「第２温度センサ」の一例に相当する。
【００８２】
図９に示すように、まず、ステップＳ５０１において、制御部５６の取得部５６１は、第１空気調和機３から第１情報ＩＦ１を取得する。
次に、ステップＳ５０３において、制御部５６は、第１情報ＩＦ１に基づいて、第１空気調和機３が温度調整中であるか否かを判定する。「温度調整中」とは、温度調整機能を実行していることを示す。
第１空気調和機３が温度調整中ではないと制御部５６が判定した場合（ステップＳ５０３でＮＯ）には、処理がステップＳ５０１にリターンする。第１空気調和機３が温度調整中であると制御部５６が判定した場合（ステップＳ５０３でＹＥＳ）には、処理がステップＳ５０５に進む。
そして、ステップＳ５０５において、制御部５６の取得部５６１は、第１空気調和機３から第２情報ＩＦ２を取得することによって、第１空気調和機３の第１温度センサ３４の検出温度Ｔ１を取得する。
【００８３】
次に、ステップＳ５０７において、制御部５６の取得部５６１は、第２空気調和機５の第２温度センサ５４の検出温度Ｔ２を取得する。
次に、ステップＳ５０９において、制御部５６は、検出温度Ｔ１と検出温度Ｔ２との差の絶対値が所定温度差ΔＴ以上であるか否かを判定する。所定温度差ΔＴは、例えば５℃である。
検出温度Ｔ１と検出温度Ｔ２との差の絶対値が所定温度差ΔＴ以上ではないと制御部５６が判定した場合（ステップＳ５０９でＮＯ）には、処理がステップＳ５０１にリターンする。検出温度Ｔ１と検出温度Ｔ２との差の絶対値が所定温度差ΔＴ以上であると制御部５６が判定した場合（ステップＳ５０９でＹＥＳ）には、処理がステップＳ５１１に進む。
そして、ステップＳ５１１において、制御部５６の動作制御部５６２は、風量ＱＷを増加するように第２空気調和機５の動作を制御する。具体的には、第２空気調和機５が、例えば温度調整機能を実行している場合には、動作制御部５６２は、温度調整機能において風量ＱＷを増加するように第２空気調和機５の動作を制御する。第２空気調和機５が、例えば送風機能を実行している場合には、動作制御部５６２は、送風機能において風量ＱＷを増加するように第２空気調和機５の動作を制御する。そして、処理がステップＳ５０１にリターンする。
【００８４】
以上、図１〜図４及び図９を参照して説明したように、本発明の第５実施形態では、第１温度センサ３４の検出温度Ｔ１と第２温度センサ５４の検出温度Ｔ２との差の絶対値が所定温度差ΔＴ以上である場合に、動作制御部５６２は、風量ＱＷを増加するように動作を制御する。よって、１つの部屋ＲＭ内の空気を攪拌できる。したがって、１つの部屋ＲＭ内の空気の温度を均一化できる。その結果、第１空気調和機３が温度調整機能を適性に制御できる。
【００８５】
また、第１空気調和機３は、１つの部屋ＲＭの天井の近傍に配置され、第２空気調和機５は、１つの部屋ＲＭの床に配置される。よって、第２空気調和機５が風量ＱＷを増加することによって、１つの部屋ＲＭ内の空気を効果的に攪拌できる。したがって、第１空気調和機３が温度調整機能を更に適性に制御できる。
【００８６】
なお、本発明の第５実施形態では、第２空気調和機５Ａ、第２空気調和機５Ｂ及び第２空気調和機５Ｃの各々の制御部５６が、図９に示すフローチャートの動作を実行するが、本発明はこれに限定されない。第２空気調和機５Ａ、第２空気調和機５Ｂ及び第２空気調和機５Ｃのうちの少なくとも１つの空気調和機の制御部５６が、図９に示すフローチャートの動作を実行すればよい。図９に示すフローチャートの動作を実行する空気調和機の台数が多い程、１つの部屋ＲＭ内の空気を効果的に攪拌できる。
【００８７】
また、本発明の第５実施形態では、空気調和システム１００が、第２空気調和機５を含むが、本発明はこれに限定されない。空気調和システム１００が、第２空気調和機５に換えて、空気清浄器を含んでもよい。すなわち、第１温度センサ３４の検出温度Ｔ１と第２温度センサ５４の検出温度Ｔ２との差の絶対値が所定温度差ΔＴ以上である場合に、空気清浄器は、風量ＱＷを増加するように動作を制御する。
【００８８】
＜第６実施形態＞
次に、図１〜図４及び図１０を参照して、本発明の第６実施形態に係る第２空気調和機５について説明する。図１０は、第２空気調和機５の制御部５６の動作を示すフローチャートである。具体的には、図９に示すフローチャートは、第２空気調和機５Ａ、第２空気調和機５Ｂ及び第２空気調和機５Ｃの各々の制御部５６の動作を示す。本発明の第６実施形態では、第１空気調和機３は、「他の空気調和機」の一例に相当する。第２湿度センサ５５は、「第１湿度センサ」の一例に相当する。第１湿度センサ３５は、「第２湿度センサ」の一例に相当する。
【００８９】
図１０に示すように、まず、ステップＳ６０１において、制御部５６の取得部５６１は、第１空気調和機３から第１情報ＩＦ１を取得する。
次に、ステップＳ６０３において、制御部５６は、第１情報ＩＦ１に基づいて、第１空気調和機３が湿度調整中であるか否かを判定する。「湿度調整中」とは、湿度調整機能を実行していることを示す。
第１空気調和機３が湿度調整中ではないと制御部５６が判定した場合（ステップＳ６０３でＮＯ）には、処理がステップＳ６０１にリターンする。第１空気調和機３が湿度調整中であると制御部５６が判定した場合（ステップＳ６０３でＹＥＳ）には、処理がステップＳ６０５に進む。
そして、ステップＳ６０５において、制御部５６の取得部５６１は、第１空気調和機３から第２情報ＩＦ２を取得することによって、第１空気調和機３の第１湿度センサ３５の検出湿度Ｈ１を取得する。
【００９０】
次に、ステップＳ６０７において、制御部５６の取得部５６１は、第２空気調和機５の第２湿度センサ５５の検出湿度Ｈ２を取得する。
次に、ステップＳ６０９において、制御部５６は、検出湿度Ｈ１と検出湿度Ｈ２との差の絶対値が所定湿度差ΔＨ以上であるか否かを判定する。所定湿度差ΔＨは、例えば３０％である。
検出湿度Ｈ１と検出湿度Ｈ２との差の絶対値が所定湿度差ΔＨ以上ではないと制御部５６が判定した場合（ステップＳ６０９でＮＯ）には、処理がステップＳ６０１にリターンする。検出湿度Ｈ１と検出湿度Ｈ２との差の絶対値が所定湿度差ΔＨ以上であると制御部５６が判定した場合（ステップＳ６０９でＹＥＳ）には、処理がステップＳ６１１に進む。
そして、ステップＳ６１１において、制御部５６の動作制御部５６２は、風量ＱＷを増加するように第２空気調和機５の動作を制御する。具体的には、第２空気調和機５が、例えば温度調整機能を実行している場合には、動作制御部５６２は、温度調整機能において風量ＱＷを増加するように第２空気調和機５の動作を制御する。第２空気調和機５が、例えば送風機能を実行している場合には、動作制御部５６２は、送風機能において風量ＱＷを増加するように第２空気調和機５の動作を制御する。そして、処理がステップＳ６０１にリターンする。
【００９１】
以上、図１〜図４及び図１０を参照して説明したように、本発明の第５実施形態では、第１湿度センサ３５の検出湿度Ｈ１と第２湿度センサ５５の検出湿度Ｈ２との差の絶対値が所定湿度差ΔＨ以上である場合に、動作制御部５６２は、風量ＱＷを増加するように動作を制御する。よって、１つの部屋ＲＭ内の空気を攪拌できる。したがって、１つの部屋ＲＭ内の空気の湿度を均一化できる。その結果、第１空気調和機３が湿度調整機能を適性に制御できる。
【００９２】
また、第１空気調和機３は、１つの部屋ＲＭの天井の近傍に配置され、第２空気調和機５は、１つの部屋ＲＭの床に配置される。よって、第２空気調和機５が風量ＱＷを増加することによって、１つの部屋ＲＭ内の空気を効果的に攪拌できる。したがって、第１空気調和機３が湿度調整機能を更に適性に制御できる。
【００９３】
なお、本発明の第６実施形態では、第２空気調和機５Ａ、第２空気調和機５Ｂ及び第２空気調和機５Ｃの各々の制御部５６が、図１０に示すフローチャートの動作を実行するが、本発明はこれに限定されない。第２空気調和機５Ａ、第２空気調和機５Ｂ及び第２空気調和機５Ｃのうちの少なくとも１つの空気調和機の制御部５６が、図１０に示すフローチャートの動作を実行すればよい。図１０に示すフローチャートの動作を実行する空気調和機の台数が多い程、１つの部屋ＲＭ内の空気を効果的に攪拌できる。
【００９４】
また、本発明の第６実施形態では、空気調和システム１００が、第２空気調和機５を含むが、本発明はこれに限定されない。空気調和システム１００が、第２空気調和機５に換えて、空気清浄器を含んでもよい。すなわち、第１温度センサ３４の検出温度Ｔ１と第２温度センサ５４の検出温度Ｔ２との差の絶対値が所定温度差ΔＴ以上である場合に、空気清浄器は、風量ＱＷを増加するように動作を制御する。
【００９５】
＜空気調和システムの構成の変形例＞
次に、図１（ａ）及び図１１を参照して，空気調和システム１００の構成の変形例について説明する。図１１（ａ）は、空気調和システム１００の構成の他の一例を示す図である。図１１（ｂ）は、空気調和システム１００の構成の他の一例を示す図である。
【００９６】
図１（ａ）に示す空気調和システム１００では第１空気調和機３と第２空気調和機５とがネットワークＮＷを介して通信可能に接続されるのに対して、図１１（ａ）に示す空気調和システム１００では第１空気調和機３と第２空気調和機５とが管理装置９を介して通信可能に接続される点で相違している。以下、図１（ａ）に示す空気調和システム１００と相違する点について主に説明する。
【００９７】
図１１（ａ）に示すように、空気調和システム１００は、管理装置９を備える。管理装置９は、第１空気調和機３と通信可能に接続され、且つ第２空気調和機５と通信可能に接続される。具体的には、管理装置９は、第１空気調和機３、第２空気調和機５Ａ、第２空気調和機５Ｂ及び第２空気調和機５Ｃの各々と通信可能に接続される。
【００９８】
管理装置９は、情報ＩＦＢと、情報ＩＦＣとを受信する。情報ＩＦＢは、第１空気調和機３の送信した情報を示す。情報ＩＦＣは、第２空気調和機５の送信した情報を示す。そして、管理装置９は、情報ＩＦＢを第２空気調和機５に送信する。具体的には、管理装置９は、情報ＩＦＢを第２空気調和機５Ａ、第２空気調和機５Ｂ及び第２空気調和機５Ｃの各々に送信する。また、管理装置９は、情報ＩＦＣを第１空気調和機３に送信する。情報ＩＦＢ及び情報ＩＦＣの各々は、第１情報ＩＦ１と第２情報ＩＦ２とを含む。
【００９９】
以上、図１（ａ）及び図１１（ａ）を参照して説明したように、図１１（ａ）に示す空気調和システム１００は、図１（ａ）に示す空気調和システム１００と比較して簡素な構成で、第１空気調和機３と第２空気調和機５とを通信可能に接続できる。
【０１００】
図１１（ａ）に示す空気調和システム１００では第１空気調和機３と第２空気調和機５とが管理装置９を介して通信可能に接続されるのに対して、図１１（ｂ）に示す空気調和システム１００では、第１空気調和機３と第２空気調和機５とが直接通信可能に接続される点で相違する。以下、図１１（ａ）に示す空気調和システム１００と相違する点について主に説明する。
【０１０１】
図１１（ｂ）に示すように、空気調和システム１００では、第１空気調和機３と第２空気調和機５とが直接通信可能に接続される。具体的には、第１空気調和機３と第２空気調和機５Ａとが直接通信可能に接続され、第１空気調和機３と第２空気調和機５Ｂとが直接通信可能に接続され、第１空気調和機３と第２空気調和機５Ｃとが直接通信可能に接続される。更に、第２空気調和機５Ａと第２空気調和機５Ｂとが直接通信可能に接続され、第２空気調和機５Ａと第２空気調和機５Ｃとが直接通信可能に接続され、第２空気調和機５Ｂと第２空気調和機５Ｃとが直接通信可能に接続される。
【０１０２】
第１空気調和機３は、情報ＩＦＢを第２空気調和機５に送信する。具体的には、第１空気調和機３は、情報ＩＦＢを第２空気調和機５Ａ、第２空気調和機５Ｂ及び第２空気調和機５Ｃの各々に送信する。また、第２空気調和機５Ａ、第２空気調和機５Ｂ及び第２空気調和機５Ｃの各々は、情報ＩＦＣを第１空気調和機３に送信する。情報ＩＦＢ及び情報ＩＦＣの各々は、第１情報ＩＦ１と第２情報ＩＦ２とを含む。
【０１０３】
以上、図１１（ａ）及び図１１（ｂ）を参照して説明したように、図１１（ｂ）に示す空気調和システム１００は、図１（ｂ）に示す空気調和システム１００と比較して簡素な構成で、第１空気調和機３と第２空気調和機５とを通信可能に接続できる。
【０１０４】
以上、図面を参照しながら本発明の実施形態について説明した。但し、本発明は、上記の実施形態に限られるものではなく、その要旨を逸脱しない範囲で種々の態様において実施することが可能である（例えば、下記（１）〜（４））。また、上記の実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【０１０５】
（１）図１〜図４を参照して説明したように、本発明の実施形態では、第１空気調和機３が第１温度センサ３４と、第１湿度センサ３５とを備えるが、本発明はこれに限定されない。第１空気調和機３が第１温度センサ３４及び第１湿度センサ３５の少なくとも一方を備えればよい。
【０１０６】
（２）図１〜図４を参照して説明したように、本発明の実施形態では、第２空気調和機５が第２温度センサ５４と、第２湿度センサ５５とを備えるが、本発明はこれに限定されない。第２空気調和機５が第２温度センサ５４及び第２湿度センサ５５の少なくとも一方を備えればよい。
【０１０７】
（３）図１〜図４を参照して説明したように、本発明の実施形態では、第２空気調和機５が第２空気調和機５Ａ、第２空気調和機５Ｂ及び第２空気調和機５Ｃを含むが、本発明はこれに限定されない。第２空気調和機５が少なくとも１つの空気調和機を備えればよい。例えば、第２空気調和機５が１つの空気調和機で構成されてもよいし、第２空気調和機５が２つの空気調和機で構成されてもよい。また例えば、第２空気調和機５が４つ以上の空気調和機を備えてもよい。
【０１０８】
（４）図１〜図４を参照して説明したように、本発明の実施形態では、第１空気調和機３が１つの空気調和機で構成されるが、本発明はこれに限定されない。第１空気調和機３が少なくとも１つの空気調和機を備えればよい。例えば、第２空気調和機５が２つ以上の空気調和機を備えてもよい。
【産業上の利用可能性】
【０１０９】
本発明は、空気調和機及び空気調和システムを提供するものであり、産業上の利用可能性を有する。
【符号の説明】
【０１１０】
１００    空気調和システム
１    サーバー装置
３    第１空気調和機
３２    熱交換器
３３    ファン
３４    第１温度センサ
３５    第１湿度センサ
３６    制御部
３６１    取得部
３６２    動作制御部
３６３    算出部
３８    通信部
５、５Ａ、５Ｂ、５Ｃ    第２空気調和機
５２    熱交換器
５３    ファン
５４    第１温度センサ
５５    第１湿度センサ
５６    制御部
５６１    取得部
５６２    動作制御部
５６３    算出部
５８    通信部
７    通信端末
ＮＷ    ネットワーク
ＩＦ１    第１情報
ＩＦ２    第２情報
【図１】
2019190739.tif 000003
【図２】
2019190739.tif 000004
【図３】
2019190739.tif 000005
【図４】
2019190739.tif 000006
【図５】
2019190739.tif 000007
【図６】
2019190739.tif 000008
【図７】
2019190739.tif 000009
【図８】
2019190739.tif 000010
【図９】
2019190739.tif 000011
【図１０】
2019190739.tif 000012
【図１１】
2019190739.tif 000013